(57)【要約】      （修正有）【課題】粉末型増毛剤を振り撤く部位の面積に応じて広い噴出口と狭い噴出口のキャップ部を選択できる複数の噴出口を有する粉末型増毛剤貯蔵容器を提供する。【解決手段】粉末型増毛剤を外部に噴出させるための円筒状の突出部が上面に突出する複数の噴出口を有する粉末型増毛剤貯蔵容器であって、粉末型増毛剤を貯蔵する筒状の容器部、突出部の内部に着脱可能に結合され、粉末型増毛剤が外部に噴出されるように吐出口３４０が形成されるパッキング部３００、及び突出部を取り囲むように結合され、吐出口を通して噴出される粉末型増毛剤の量を調節する大きな直径を有する第１噴出口４２０と小さな直径を有する第２噴出口４６０とを備えるキャップ部４００を含む。【選択図】図３
0003228149.tif 000002
【実用新案登録請求の範囲】
【請求項１】
粉末型増毛剤を外部に噴出させるための円筒状の突出部が上面に突出する複数の噴出口を有する粉末型増毛剤貯蔵容器であって、
前記粉末型増毛剤を貯蔵する筒状の容器部と、
前記突出部の内部に着脱可能に結合され、前記粉末型増毛剤が外部に噴出されるように吐出口が形成されるパッキング部と、
前記突出部を取り囲むように結合され、前記吐出口を通して噴出される前記粉末型増毛剤の量を調節するキャップ部とを含み、
前記パッキング部は、
前記突出部の内部に対応する直径を有するように形成される柱状のボディー部と、
前記突出部の上端にかかるように前記ボディー部の上部外周面に沿って突出する段差部と、
前記突出部の内周面に密着するように前記ボディー部の外周面に沿って形成される複数のリング部と、
前記吐出口の内部の上部及び下部に結合される一対のメッシュフィルターと、
前記吐出口の内部に少なくとも垂直に配置される一つ以上の吐出管と、
前記吐出管を取り囲むスリム膜とを含む、複数の噴出口を有する粉末型増毛剤貯蔵容器。
【請求項２】
前記キャップ部は、
前記突出部の外周面の直径に対応するように下側が開放し上側が閉鎖する一面が形成される管状の胴体部と、
前記吐出口の直径と同じ大きさで連通するように前記胴体部の一面に突設される第１噴出口と、
前記胴体部の他面に結合され、前記第１噴出口に噴出される前記粉末型増毛剤を分散させるメッシュ網と、
前記胴体部を覆うように着脱可能に結合される主栓部と、
前記主栓部の内側に設けられ、前記第１噴出口の内径より小さな直径を有するように形成され、前記第１噴出口と連通するように第２噴出口が形成される副栓部とを含み、
前記主栓部は、着脱時に前記第２噴出口を開閉することを特徴とする、請求項１に記載の複数の噴出口を有する粉末型増毛剤貯蔵容器。
【請求項３】
前記キャップ部は、
前記胴体部と前記主栓部の一側に形成され、前記胴体部と前記主栓部を一体に連結させる連結部と、
前記胴体部の一面に形成され、前記副栓部を回動させるヒンジ部とをさらに含む、請求項２に記載の複数の噴出口を有する粉末型増毛剤貯蔵容器。
【請求項４】
前記容器部は、内部に粉末型増毛剤の湿気を除去するエアカプセルを備えることを特徴とする、請求項１に記載の複数の噴出口を有する粉末型増毛剤貯蔵容器。
【考案の詳細な説明】
【技術分野】
【０００１】
本考案は、複数の噴出口を有する粉末型増毛剤貯蔵容器に関するもので、より詳しくは、容器胴体内に貯蔵された、俗に「コクサイ（黒彩）」と呼ばれる粉末型増毛剤を髪の毛に振り撒くとき、振り撤こうとする面積のサイズによって噴出面積が広く又は狭く形成された噴出口を含むキャップ部を選択的に開放して便利に使える複数の噴出口を有する粉末型増毛剤貯蔵容器に関するものである。
【背景技術】
【０００２】
一般に、粉末型増毛剤であるコクサイは、髪の毛が少ない人又は髪が薄い人に、かつらよりは簡便に髪の毛に振り撒く黒色固体パウダー状の物質と知られており、最近簡便に使える利点のため、脱毛がひどい使用者から脚光を浴びている。
【０００３】
また、コクサイは大部分ファイバー又は木炭から作られた細かいパウダーであり、人体に無害であり、脳天部に髪の毛が少ない人々が最も好んでおり、髪の毛があまりにない人よりは、５〜１０センチメートルの髪の毛を持っているが髪が薄い人々が主に使用する。
【０００４】
通常、コクサイを用いた増毛剤のヘアー製品は、使用方法によって、大別してフィルターを用いた排出型とスプレー噴射型に分類することができる。従来のコクサイ貯蔵容器は、適量のコクサイを貯蔵することができる円筒状の容器胴体と、この容器胴体の口部を開閉するための蓋とからなり、容器胴体の口部の外周面に形成されたネジ部と蓋の内周面に形成されたネジ部とを用いて容器胴体の口部を蓋で開閉するようになっている。
【０００５】
また、容器胴体の口部はメッシュ（Ｍｅｓｈ）状のメッシュフィルターで塞がっており、メッシュフィルターを通して容器胴体内のコクサイが排出されるようにすることにより、コクサイが固まらずに分散排出されて所望の部位に振りまかれるようにした構成である。
【０００６】
しかし、前述した従来の粉末型増毛剤貯蔵容器は、図２に示すように、容器胴体を逆さまに立て、矢印方向に振って容器胴体内のコクサイを髪の毛に振り撒くことになるものなので、使用がちょっと不便である。また、コクサイが排出される口部の面積が広く形成されたものであるので、コクサイが必要以上に広く分散されて排出される。よって、所望の部分に適量のコクサイを正確に振り撒くことが困り、所望の部分を中心に不必要な周辺部まで過剰に排出されるので、コクサイが浪費される問題があるだけではなく、顔、肩、衣服又は洗面台に真っ黒く付くため、衛生的にも視覚的にも不快さを与えた。
前述した欠点を改善するための先行技術として、韓国登録実用新案第２０−０４５３４３５号の「粉末型増毛剤貯蔵容器」が知られている。
【０００７】
前記先行技術は、容器胴体を軽く押圧して発生した内部の空気圧によって容器胴体内に貯蔵されたコクサイが噴出口を通して噴出されるようにし、コクサイが噴出される口部の噴出口の面積を最小化してコクサイが所望の部分に正確に適量で振り撤かれるようにすることにより、使用が非常に便利であり、コクサイが不必要な部分に振り撤かれることを防止することができ、蓋を閉じた状態ではコクサイが排出されないので、コクサイを浪費しないようになっている。
【０００８】
しかし、前記先行技術は、コクサイの噴出口の面積を最小化して所望の部分にコクサイを正確に振り撒くことができる利点はあるが、大きな面積にコクサイを振り撤こうとする場合は、何回も容器胴体を押圧してコクサイを噴出させなければならない不便さがあり、また、噴出口のコクサイ噴出方向が容器胴体の上下側への長手方向（高さ方向）と同じ方向になっているから、特に脳天部にコクサイを振り撤こうとする場合、使用者が容器胴体を斜めに把持して噴出させれば、コクサイが斜めに噴出されるため、脳天部に正確で均一に振り撒くことができない問題がある。よって、使用者が脳天部にコクサイを振り撒くときには、容器胴体が脳天部に対して直角方向に立てられるように把持しなければならないので、使用姿勢が不安定であって不便であるという欠点がある。
【考案の概要】
【考案が解決しようとする課題】
【０００９】
本考案は、前記のような従来技術の問題点を解決するために、粉末型増毛剤を振り撤こうとする部位の面積の大きさに応じて広く噴出させる噴出口と狭く噴出させる噴出口が形成されたキャップ部を選択することができるようにして、使用が非常に便利な新しい構造の複数の噴出口を有する粉末型増毛剤貯蔵容器を提供することを目的とする。
【００１０】
また、本考案は、使用者が容器部を把持しやすくするとともに容器部を押圧するときに発生する内部空気圧をもっと増加させて粉末型増毛剤の噴出をもっと円滑にすることができる複数の噴出口を有する粉末型増毛剤貯蔵容器を提供することをその目的とする。
【課題を解決するための手段】
【００１１】
本考案は、前記のような課題を解決するために、粉末型増毛剤を外部に噴出させるための円筒状の突出部が上面に突出する複数の噴出口を有する粉末型増毛剤貯蔵容器であって、前記粉末型増毛剤を貯蔵する筒状の容器部と、前記突出部の内部に着脱可能に結合され、前記粉末型増毛剤が外部に噴出されるように吐出口が形成されるパッキング部と、前記突出部を取り囲むように結合され、前記吐出口を通して噴出される前記粉末型増毛剤の量を調節するキャップ部とを含む、複数の噴出口を有する粉末型増毛剤貯蔵容器を提供する。
【００１２】
本考案の実施例による複数の噴出口を有する粉末型増毛剤貯蔵容器において、前記パッキング部は、前記突出部の内部に対応する直径を有するように形成される柱状のボディー部と、前記突出部の上端にかかるように前記ボディー部の上部外周面に沿って突出する段差部と、前記突出部の内周面に密着するように前記ボディー部の外周面に沿って形成される複数のリング部と、前記吐出口の内部の上部及び下部に結合される一対のメッシュフィルターと、前記吐出口の内部に少なくとも垂直に配置される一つ以上の吐出管と、前記吐出管を取り囲むスリム膜とを含むことができる。
【００１３】
本考案の実施例による複数の噴出口を有する粉末型増毛剤貯蔵容器において、前記キャップ部は、前記突出部の外周面の直径に対応するように下側が開放し上側が閉鎖する一面が形成される管状の胴体部と、前記吐出口の直径と同じ大きさで連通するように前記胴体部の一面に突設される第１噴出口と、前記胴体部の他面に結合され、前記第１噴出口に噴出される前記粉末型増毛剤を分散させるメッシュ網と、前記胴体部を覆うように着脱可能に結合される主栓部と、前記主栓部の内側に設けられ、前記第１噴出口の内径より小さな直径を有するように形成され、前記第１噴出口と連通するように第２噴出口が形成される副栓部とを含み、前記主栓部は、着脱時に前記第２噴出口を開閉することを特徴とすることができる。
【００１４】
本考案の実施例による複数の噴出口を有する粉末型増毛剤貯蔵容器において、前記キャップ部は、前記胴体部と前記主栓部の一側に形成され、前記胴体部と前記主栓部を一体に連結させる連結部と、前記胴体部の一面に形成され、前記副栓部を回動させるヒンジ部とをさらに含むことができる。
【００１５】
本考案の実施例による複数の噴出口を有する粉末型増毛剤貯蔵容器において、前記容器部は、内部に粉末型増毛剤の湿気を除去するエアカプセルを備えることを特徴とすることができる。
【考案の効果】
【００１６】
本考案の実施例によれば、粉末型増毛剤を外部に噴出させるための直径の相異なる噴出口が備えられた複数のキャップ部を備え、その一方は直径を大きく形成し、他方は直径を小さく形成することにより、粉末型増毛剤を振り撤こうとする部分の面積の大きさによって噴出口を選択することができるようにして、粉末型増毛剤の浪費を減らし、便利に使える効果を有することができる。
【図面の簡単な説明】
【００１７】
【図１】本考案の実施例による複数の噴出口を有する粉末型増毛剤貯蔵容器を示した斜視図である。
【図２】図１の断面を示した断面図である。
【図３】図１の分解状態を示した分解斜視図である。
【図４】本考案の実施例による複数の噴出口を有する粉末型増毛剤貯蔵容器のパッキング部を分解して示した分解斜視図である。
【図５】第１噴出口の使用状態図である。
【図６】第１噴出口の使用状態図である。
【図７】第２噴出口の使用状態図である。
【図８】第２噴出口の使用状態図である。
【考案を実施するための形態】
【００１８】
以下、添付図面に基づき、本考案が属する技術分野で通常の知識を有する者が本考案を容易に実施することができる好適な実施例を詳細に説明する。ただ、本考案の好適な実施例の動作原理を詳細に説明するにあたり、関連した公知の機能又は構成についての具体的な説明が本考案の要旨を不必要にあいまいにする可能性があると判断される場合にはその詳細な説明を省略する。
また、図面全般にわたって類似の機能及び作用をする部分に対しては同じ図面符号を付ける。
【００１９】
また、明細書全般にわたってある部分が他の部分と「連結」されていると言うとき、これは直接的に連結されている場合だけではなく、その中間に他の構成要素を挟んで間接的に連結されている場合も含む。また、ある構成要素を「含む」とは、特に反対の記載がない限り、他の構成要素を除くものではなく、他の構成要素をさらに含むことができることを意味する。
以下、添付図面を参照して、本考案の好適な実施例による複数の噴出口を有する粉末型増毛剤貯蔵容器について詳細に説明する。
【００２０】
図１は本考案の実施例による複数の噴出口を有する粉末型増毛剤貯蔵容器を示した斜視図、図２は図１の断面を示した断面図、図３は図１の分解状態を示した分解斜視図、図４は本考案の実施例による複数の噴出口を有する粉末型増毛剤貯蔵容器のパッキング部を分解して示した分解斜視図、図５及び図６は第１噴出口の使用状態図、図７及び図８は第２噴出口の使用状態図である。
【００２１】
図１〜図３に示すように、本考案の実施例による複数の噴出口を有する粉末型増毛剤貯蔵容器１０は、容器部１００、突出部２００、パッキング部３００及びキャップ部４００を含む。
【００２２】
より詳しくは、粉末型増毛剤を外部に噴出させるための円筒状の突出部２００が上面に突出する複数の噴出口を有する粉末型増毛剤貯蔵容器１０であって、粉末型増毛剤を貯蔵する筒状の容器部１００、突出部の内部に着脱可能に結合され、粉末型増毛剤が外部に噴出されるように吐出口３４０が形成されるパッキング部３００、及び突出部を取り囲むように結合され、吐出口を通して粉末型増毛剤が噴出される量を調節するキャップ部４００を含む。
【００２３】
図１及び図２を参照すると、容器部１００は、粉末型増毛剤を貯蔵する筒状のものであり、弾性を有する軟質合成樹脂材から製造されることができる。そして、容器部１００は、後述する突出部２００の方向に傾斜を成すように傾斜面が形成されることができる。このような傾斜面は、容器部１００の内部に貯蔵された粉末型増毛剤が突出部２００の方向に集まった後、容易に噴出されるようにする役割をする。
【００２４】
また、容器部１００は粉末型増毛剤の噴出時に使用者が把持しやすくするために平たく形成されるものであり、突出部２００を中心に、使用者が容器部１００を把持して指で押圧する正面及び背面の押圧面１１０より左右の両側面１２０をもっと長く形成することが好ましい。
【００２５】
突出部２００は容器部１００の上面に突設されるもので、容器部１００に貯蔵された粉末型増毛剤が排出される部分である。このような突出部２００は一定の直径を有し、容器部１００と連通するように管状に突出する。そして、突出部２００は、後述するキャップ部４００と結合するように、突出部２００の外周面に雄ネジ部２１０が形成されることができる。
【００２６】
図３及び図４に示すように、パッキング部３００は突出部２００の内部に着脱可能に結合され、粉末型増毛剤が外部に噴出されるように吐出口３４０が形成される。このために、パッキング部３００は、ボディー部３１０、段差部３２０、リング部３３０、一対のメッシュフィルター３５０、吐出管３６０及びスリム膜３７０を含む。
【００２７】
ボディー部２１０は突出部２００の内部に対応する直径を有する柱状になることができる。このようなボディー部２１０はゴム又はシリコン素材から製作されて突出部２００の内側に結合されることによって突出部２００の内側を密閉させる役割をする。
【００２８】
また、ボディー部３１０は突出部２００の高さだけ形成されることが好ましい。したがって、容器部１００の内部に貯蔵された粉末型増毛剤が排出される場合、ボディー部２１０に円滑に流入することができる。
【００２９】
段差部３２０は、突出部２００の上端にかかるように、ボディー部３１０の上部の外周面に沿って突設される。すなわち、段差部３２０は、ボディー部３１０が突出部２００の内部に挿合されるとき、突出部２００の上端に装着されるようにする役割をする。そして、突出部２００から分離するときには、段差部３２０を摘んで突出部２００の反対方向に押して分離することができるようにする。
【００３０】
リング部３３０は、突出部２００の内周面に密着するように、ボディー部３１０の外周面に沿って複数形成されることができる。このようなリング部３３０は、突出部２００の内周面にボディー部３１０の外周面が互いに密着して密閉空間を形成することができる。そして、リング部３３０によって突出部２００とパッキング部３００間の結合力を増大させる。
【００３１】
吐出口３４０は粉末型増毛剤を外部に噴出させるためのものであり、パッキング部３００の中央を貫通するホール形状を有する。このような吐出口３４０は、後述する第１噴出口４２０と連通して、使用者が振り撤こうとする部位に粉末型増毛剤が噴出されるようにする噴出口である。
【００３２】
このように、パッキング部４００は、吐出口３４０が突出部２００の開放部全体を噴出直径とする場合より小さな直径に形成されることによって容器部１００に貯蔵された粉末型増毛剤が瓶首現象で塞がることを防止するために、後述する一対のメッシュフィルター３５０、吐出管３６０及びスリム膜３７０を備える。
【００３３】
一対のメッシュフィルター３５０は吐出口３４０の内部の上部及び下部に結合されるものであり、吐出口３４０の上部及び下部を塞ぐようになっている。これは、吐出口３４０を通して噴出される粉末型増毛剤を分散させて均一に振り撒くためのものである。
【００３４】
吐出管３６０は吐出口３４０の内部に少なくとも一つ以上が垂直に配置される。そして、吐出管３６０は吐出口３４０の直径より小さな管状に複数が配置されることが好ましい。
【００３５】
より詳しくは、図４に示すように、吐出管３６０は吐出口３４０の内部に垂直に２個が配置されている。そして、吐出管３６０の上部及び下部に一対のメッシュフィルター３５０によって粉末型増毛剤が分散されて吐出管３６０の内部に流入することができるようにする。このように、吐出管３６０は、粉末型増毛剤が一対のメッシュフィルター３５０によって分散されてから吐出管３６０の内部に流入する場合、閉塞現象が最小化し、突出部２００に集まる粉末型増毛剤の瓶首現象も防止する役割をする。そして、吐出管３６０を通して噴出される粉末型増毛剤が、吐出口３４０の上部に結合されたメッシュフィルターによってまた分散されるようにして、粉末型増毛剤が固まることを防止する。
スリム膜３７０は吐出管３６０を取り囲む膜であり、吐出管３６０が吐出口３４０の内部で動くか揺れることを防止するように取り囲む役割をする。
このようなパッキング部３００は容器部１００に貯蔵された粉末型増毛剤を噴出させる役割をし、突出部２００に着脱可能に結合され、交替が容易である。
【００３６】
図２及び図３に示すように、キャップ部４００は突出部２００を取り囲むように結合され、吐出口３４０を通して噴出される粉末型増毛剤の量を調節する。このために、キャップ部４００は、胴体部４１０、第１噴出口４２０、メッシュ網４３０、主栓部４４０及び副栓部４５０を含む。
【００３７】
まず、胴体部４１０は、突出部２００の外周面の直径に対応するように、下側が開放し上側が閉鎖する一面が形成された管状になる。そして、突出部２００と結合するために、胴体部４１０の内側に、突出部２００の外周面に形成された雄ネジ部２１０と螺合する雌ネジ部が形成される。
【００３８】
第１噴出口４２０は、吐出口３４０の直径と同じ大きさで連通するように、胴体部４１０の一面に突設される。すなわち、第１噴出口４２０は吐出口３４０の直径と同じ大きさに形成され、吐出口３４０と連通する。このような第１噴出口４２０は、粉末型増毛剤を広い部位に振り撒くことができるようにする役割をする。
【００３９】
メッシュ網４３０は胴体部４１０の他面に結合され、第１噴出口４２０に噴出される粉末型増毛剤を分散させる役割をする。また説明すれば、メッシュ網４３０は、吐出口３４０を通して噴出される粉末型増毛剤が分散されて第１噴出口４２０に噴出されるようにする。このようなメッシュ網４３０は、粉末型増毛剤が固まることを防止するとともに分散させることにより、使用者が所望の部位に広く振り撒くことができるようにする。
【００４０】
主栓部４４０は胴体部４１０を覆うように着脱可能に結合される。すなわち、主栓部４４０は胴体部４１０の上部に位置し、胴体部４１０を覆って密閉させるか開けて開放させる役割をする。
【００４１】
副栓部４５０は主栓部４４０の内側に設けられ、第１噴出口４２０の内径より小さな直径に形成され、第１噴出口４２０と連通するように第２噴出口４６０が形成されるものであり、副栓部４５０の開閉方式によって粉末型増毛剤の噴射量を調節することができる。
【００４２】
第２噴出口４６０は副栓部４５０の内側面中央から突設され、第１噴出口４２０の内周面に挿合される。また、第２噴出口４６０は第１噴出口４２０より小さな直径で貫設された管状を有し、副栓部４５０を貫通することにより第１噴出口４２０及び副栓部４５０と連通する。このような第２噴出口４６０は、第１噴出口４２０の内径より小さな直径を通して、粉末型増毛剤を狭い部位に振り撒く役割をする。
【００４３】
このようなキャップ部４００は、主栓部４４０が胴体部４１０を覆い、副栓部４５０が第１噴出口４２０と着脱可能に結合するように、連結部４７０及びヒンジ部４８０をさらに含む。
【００４４】
連結部４７０は胴体部４１０と主栓部４４０の一側に形成されて胴体部４１０と主栓部４４０を一体に連結するものであり、胴体部４１０から主栓部４４０が紛失されることを防止する。
【００４５】
ヒンジ部４８０は胴体部４１０の一面に形成され、副栓部４５０が回動することができるようにする役割をする。このようなヒンジ部４８０は連結部４７０に隣接して配置され、胴体部４１０の一面から所定の距離だけ離隔して垂直に延びる一対の壁体４８１を含む。そして、一対の壁体４８１にヒンジ軸４８２が水平に結合される。また、一対の壁体４８１は、主栓部４４０と干渉しないように、主栓部４４０の内面の内側に位置するように形成されることが好ましい。
【００４６】
一方、副栓部４５０は、ヒンジ軸４８２に結合されるように、副栓部４５０の一側に溝が形成される結合部４５１が突設される。すなわち、結合部４５１はヒンジ軸４８２に着脱可能に結合されて分離も可能であるので、容易に交替することができる。
このように、ヒンジ部４８０は、副栓部４５０がヒンジ軸４８２を中心に回動することができるようにする役割をする。
【００４７】
また、本考案の実施例による複数の噴出口を有する粉末型増毛剤貯蔵容器１０において、容器部１００は、内部に粉末型増毛剤の湿気を除去するエアカプセル１３０を備える。
【００４８】
エアカプセル１３０は容器部１００の内部に配置できるように所定の大きさに形成されたボール形状を有する。そして、エアカプセル１３０は粉末型増毛剤で発生し得る湿気を除去する除湿剤がボールの内部に備えられている。
【００４９】
また、粉末型増毛剤を第１及び第２噴出口４２０、４６０側に排出するために容器部１００を覆せば、粉末型増毛剤がエアカプセル１３０とともに突出部２００の方向に移動するので、粉末型増毛剤の固まりを防止することができる。
以下、各構成による、本考案の実施例による複数の噴出口を有する粉末型増毛剤貯蔵容器１０の使用過程を説明する。
【００５０】
図５に示すように、主栓部４４０及び副栓部４５０を胴体部４１０から分離して開放すれば、キャップ部４００に形成された第１噴出口４２０が露出される。その後、使用者は、図６に示すように、容器部１００の押圧面１１０を指で把持した後、押圧面１１０を軽く押圧すれば、容器部１００内に空気圧が発生して内部の粉末型増毛剤を突出部２００側に移動させるようになる。そして、粉末型増毛剤は一対のメッシュフィルター３５０を通して分散されて吐出口３４０の方向に移動する。このとき、粉末型増毛剤は吐出管３６０に流入して吐出口３４０に移動する。そして、粉末型増毛剤はメッシュ網４３０を通過しながら分散された後、第１噴出口４２０を通して外部に噴出されて使用者の髪の毛に振り撒かれる。このとき、第１噴出口４２０の直径は大きく形成されているので、粉末型増毛剤を振り撤こうとする面積が広いときに有用に使うことができる。
【００５１】
また、図７に示すように、主栓部４４０を胴体部４１０から分離して開放すれば、第１噴出口４２０と結合された副栓部４５０が露出される。その後、使用者は、図８に示すように、容器部１００の押圧面１１０を指で把持した後、押圧面１１０を軽く押圧すれば、容器部１００内に空気圧が発生して内部の粉末型増毛剤を突出部２００側に移動させるようになる。そして、粉末型増毛剤はメッシュ網４３０を通過しながら分散された後、第１噴出口４２０に流入し、ついで第１噴出口４２０と連通する第２噴出口４６０を通して外部に噴出されて使用者の髪の毛に振り撤かれる。このとき、第２噴出口４６０は第１噴出口４２０に比べて直径が小さく形成されるので、例えば分け目のように狭い部位に粉末型増毛剤を振り撤こうとする場合、非常に有用に使うことができる。
【００５２】
このような本考案の実施例による複数の噴出口を有する粉末型増毛剤貯蔵容器１０は、脳天部に粉末型増毛剤を広く振り撒く場合、内径の大きな第１噴出口４２０を選択して使い、分け目の部分に粉末型増毛剤を狭く振り撒く場合、内径の小さな第２噴出口４６０を選択して使うことができるので、便利である。
【００５３】
以上で説明したように、本考案の詳細な説明では本考案の好適な実施例について説明したが、これは本考案の最良の実施例を例示的に説明したものであり、本考案を限定するものではない。また、本考案が属する技術分野の通常の知識を有する者であれば誰でも本考案の技術思想の範疇を逸脱しない範囲内で多様な変形及び模倣が可能であることは言うまでもない。
【００５４】
したがって、本考案の権利範囲は上述した実施例に限定されるものではなく、添付の実用新案請求範囲内で多様な形態の実施例として具現されることができる。そして、実用新案請求範囲で請求する本考案の要旨を逸脱することなしに当該考案が属する技術分野で通常の知識を有する者であれば誰でも変形可能な多様な範囲まで本考案の請求範囲記載の範囲内にあるものとして見なす。
【図１】
0003228149.tif 000003
【図２】
0003228149.tif 000004
【図３】
0003228149.tif 000005
【図４】
0003228149.tif 000006
【図５】
0003228149.tif 000007
【図６】
0003228149.tif 000008
【図７】
0003228149.tif 000009
【図８】
0003228149.tif 000010